(57)【要約】【課題】カートリッジの組立時に、所定係合孔に装着された弾性部材が前記所定係合孔から離脱する虞のないディスクカートリッジを提供することにある。【解決手段】ヘッドアクセス窓及び駆動軸挿入窓を形成した一対のハーフシェルからなるケース本体と、一方の前記ハーフシェルのレール状突起に係合して前記ケース本体の前側端縁に沿って摺動するスライダと、該スライダに固着された開閉板と、前記スライダを一方向に付勢する弾性部材とを備えると共に前記弾性部材は断面円形状の弾性線状部材からなり、その一方の端部がスライダ係合部と、他方がハーフシェル係合部と係合する構成としたディスクカートリッジにおいて、前記係合部が正面視多角形の凹状部からなり、この多角形に内接する円の直径が前記弾性部材の円形弾性線状部材の直径に対して同寸法ないし１１０％以内であることを特徴とするディスクカートリッジ。【選択図】      図３
2004362639.tif 000002
【特許請求の範囲】
【請求項１】
少なくとも片面にヘッドアクセス窓及び駆動軸挿入窓が形成されると共にディスク状記録媒体を回転自在に収納する一対のハーフシェルからなるケース本体と、一方の前記ハーフシェルの前側端縁内面に前側端縁に平行に設けたレール状の凸状突起に係合して前記ケース本体の前側端縁に沿って摺動可能に設けたスライダと、該スライダに固着されて前記ヘッドアクセス窓及び駆動軸挿入窓を開閉する断面略Ｌ字状の開閉板と、前記スライダを一方向に付勢する弾性部材とを備えると共に前記弾性部材は断面円形状の弾性線状部材からなり、その一方の端部が前記スライダの長手方向の開方向側部に設けたスライダ係合部と係合し、他方の端部が前記一方のハーフシェルの内面に設けたハーフシェル係合部と係合する構成としたディスクカートリッジにおいて、前記スライダ係合部と前記ハーフシェル係合部とが正面視多角形の凹状部からなり、この多角形に内接する円の直径が前記弾性部材の円形弾性線状部材の直径に対して同寸法ないし１１０％以内であることを特徴とするディスクカートリッジ。
【請求項２】
前記凹状部が正面視正三角形であることを特徴とする請求項１記載のディスクカートリッジ。
【発明の詳細な説明】
【０００１】
【発明の属する技術分野】
本発明は、円盤形状をしたディスク状記録媒体を回転自在に収納するディスクカートリッジに関し、さらに詳しくは、開閉板を閉方向に付勢するために設けられる弾性部材と該弾性部材の端部を係合する前記開閉板が固着されるスライダ、および、ケース本体の構造に関するものである。
【０００２】
【従来の技術】
従来から、光ディスク、光磁気ディスク等の円盤形状をしたディスク状記録媒体を機器装置にローディングするために、ディスク状記録媒体を回転自在に収納するディスクカートリッジが使用されている。そして、ディスクカートリッジは、未使用時にゴミ等の異物がヘッドアクセス窓及び駆動軸挿入窓から侵入するのを防止するために、ヘッドアクセス窓及び駆動軸挿入窓がシャッタで閉じられた状態を維持するように構成され、たとえば、捩りコイルばね（弾性部材）を用いて常にシャッタを閉止する方向に付勢している。そして、ディスクカートリッジをディスクドライブ装置に装着したときに、ディスクドライブ装置のシャッタ駆動ピンでシャッタを弾性部材の付勢力に抗して摺動させてヘッドアクセス窓及び駆動軸挿入窓を開き、ディスクへの読み書きを行なうようになっている。
【０００３】
前記シャッタは、金属製やプラスチック製の開閉板のみからなるものと、金属製やプラスチック製の開閉板をプラスチック製スライダに固着したものとが存在するが、いずれの場合も、捩りコイルばねの一方の端部がシャッタ（開閉板あるいはスライダ）と係合し、他方の端部がディスクカートリッジのケース本体と係合するように構成されている。
【０００４】
シャッタと捩りコイルばね、および、捩りコイルばねとケース本体との係合は、捩りコイルばねのディスクカートリッジへの組付けの容易さを考慮した構造、あるいは、一度組付けられた捩りコイルばねが衝撃等の外力により外れることがないような構造となっている（たとえば、特許文献１参照）。
【０００５】
そのために、特許文献１のディスクカートリッジは、スライダの捩りコイルばねとの係合部が特殊な形状をすると共にカートリッジ本体の捩りコイルばねとの係合部についても結構複雑な形状をしており、スライダやケース本体の射出成形金型が複雑になり、それだけイニシャルコストが高くなるという問題があった。
【０００６】
そこで、図２〜図５に示すようなシャッタ開閉構造を有するディスクカートリッジ１がある。このディスクカートリッジ１のケース本体２は上下一対のハーフシェル１０からなり、上下ハーフシェル１０は雄と雌の嵌合部が異なる以外は基本的にはほぼ同じ形状であり、上ハーフシェル１０を例に挙げて説明する。前記上ハーフシェル１０はその中央から前側端縁へ向かってディスクドライブ（図示せず）へのディスクカートリッジの装填方向に延在するヘッドアクセス窓及び駆動軸挿入窓１３を備えると共に内面にディスクの収納空間を区画する周壁１１と側端縁部に沿って延在する側壁１２が形成され、前側端縁の前記側壁１２は前記ヘッドアクセス窓及び駆動軸挿入窓１３を挟んで一方（図３〜５上の右側）が他の側壁１２よりケース本体２の厚み方向に低い側壁１２’に構成されると共に前記側壁１２’の前記ヘッドアクセス窓及び駆動軸挿入窓１３から最も離れた位置に正面視円形状の凹部からなるハーフシェル係合部１４が形成され、さらに前側端縁の前記側壁１２、１２’より前側端縁側内面に前側端縁に平行にレール状の凸状突起１５が一体的に形成されている。なお、前記側壁１２’を前記側壁１２よりケース本体２の厚み方向に低く形成しているのは、後述する弾性部材４０の腕部４２の移動の妨げとなるのを防止し、ケース本体１の厚みを薄く構成するためである。
【０００７】
そして、前記上ハーフシェル１０に設けた前記凸状突起１５にその溝部２１で摺動可能にスライダ２０が係合している。前記スライダ２０は本体部２０ａと該本体部２０ａの長手方向の閉方向側に延設部２０ｂとからなり、前記本体部２０ａの頂部で前記ヘッドアクセス窓及び駆動軸挿入窓１３を開閉する略Ｌ字形状の金属製開閉板３０が前記ハーフシェル１０の前側端縁を跨いで固着されてシャッタとして機能するように構成されている。前記本体部２０ａの頂部に前記金属製開閉板３０を位置決めするための位置決め用突起２２（図４上は１箇所）と前記金属製開閉板３０を螺着するためのねじ穴２３（図４上は２箇所）および前記本体部２０ａの長手方向の閉方向側に偏った位置にシャッタを開閉するためのシャッタ駆動ピンと係合する受穴２４および前記本体部２０ａの長手方向の開方向側の内面に正面視円形状の孔からなるスライダ係合部２５と該スライダ係合部２５を含む凹部２６（図３、５上は正面視三角形状の凹部）が設けられている。当然、前記金属製開閉板３０には前記スライダ２０に形成した前記位置決め突起２２と前記ねじ穴２３に対応する位置に前記位置決め突起２２と係合する位置決め穴３１および皿ねじを挿通する挿通穴３２および前記スライダ２０に形成した前記受穴２４に対応する位置に前記シャッタ駆動ピンを前記受穴２４に導くための切欠開口３３が形成されている。
【０００８】
また、弾性部材４０は、断面が円形弾性線状部材が巻かれたコイル部４１と、このコイル部４１から延びる２本の腕部４２と、該２本の腕部４２の先端部に同じ側に略直角に屈折された端部係合部４３を有する、いわゆる捩りコイルばねであって、該捩りコイルばね４０の一方の端部係合部４３が前記スライダ係合部２５と係合し、他方の端部係合部４３が前記上ハーフシェル係合部１４と係合し、常に前記スライダ２０を閉方向側に付勢するようになっている。また、前記スライダ２０に設けた前記凹部２６（図３、５上は正面視三角形状の凹部）は、前記捩りコイルばね４０の一方の端部係合部４３と繋がっている前記弾性部材（捩りコイルばね）４０の腕部４２が前記ヘッドアクセス窓及び駆動軸挿入窓１３を開閉する際に移動する軌跡に対応した大きさ（面積）の凹部となっている。
【０００９】
上記のように構成された図３に示す前記上ハーフシェル１０は、図示はしないが、前記上ハーフシェル１０の前記周壁１１内にディスク状記録媒体が収納され、その後に下ハーフシェル１０を内面同士が対向するようにねじ等の接合手段で接合することにより、図２に示す両面読み書き可能なタイプのディスクカートリッジとなる。
【００１０】
しかしながら、上下一対のハーフシェル１０は、それぞれに前記スライダ２０と前記金属製開閉板３０を組付けて、弾性部材（捩りコイルばね）４０のそれぞれの端部係合部４３を前記スライダ２０の前記スライダ係合部２４と前記ハーフシェル１０の前記ハーフシェル係合部１４とに係合した形態を予め作製することになるが、ディスク状記録媒体を収納して上下ハーフシェル１０を接合する前に、前記弾性部材（捩りコイルばね）４０の端部係合部４３が前記スライダ係合部２４ないし前記ハーフシェル係合部１４から離脱し、再度係合し直さねばならないという問題があった。これは、前記弾性線状部材（捩りコイルばね）４０の直径より１３０％程度の大きさを有する正面視円形状の孔および凹部からなるスライダ係合部２４およびハーフシェル係合部１４としていたためである。そこで、前記弾性線状部材（捩りコイルばね）４０の直径に対して同寸法ないし１１０％以内の大きさを有する正面視円形状の孔および凹部からなるスライダ係合部２４およびハーフシェル係合部１４を試作したが、前記弾性部材（捩りコイルばね）４０を前記スライダ係合部２４および前記ハーフシェル係合部１４に装着し難くなると共に、シャッタ開閉時に前記弾性部材（捩りコイルばね）４０と前記スライダ係合部２４および前記ハーフシェル係合部１４との接触抵抗が大きくなりシャッタ開閉時の動きが悪くなるという問題があった。
【００１１】
【特許文献１】
実開平７−６９７８号公報
【００１２】
【発明が解決しようとする課題】
そこで本発明は、上記問題を解決するためになしたものであって、その目的とするところは、ディスクカートリッジの組立作業時に、作業性よく弾性部材の端部係合部をスライダ係合孔ないしハーフシェル係合孔に組付けることができ、一度組付けられた弾性部材の端部係合部が前記スライダ係合孔ないしハーフシェル係合孔から離脱する虞のないディスクカートリッジを提供することにある。
【００１３】
【課題を解決するための手段】
本発明者は、上記のような目的を達成するため、請求項１記載の発明は、少なくとも片面にヘッドアクセス窓及び駆動軸挿入窓が形成されると共にディスク状記録媒体を回転自在に収納する一対のハーフシェルからなるケース本体と、一方の前記ハーフシェルの前側端縁内面に前側端縁に平行に設けたレール状の凸状突起に係合して前記ケース本体の前側端縁に沿って摺動可能に設けたスライダと、該スライダに固着されて前記ヘッドアクセス窓及び駆動軸挿入窓を開閉する断面略Ｌ字状の開閉板と、前記スライダを一方向に付勢する弾性部材とを備えると共に前記弾性部材は断面円形状の弾性線状部材からなり、その一方の端部が前記スライダの長手方向の開方向側部に設けたスライダ係合部と係合し、他方の端部が前記一方のハーフシェルの内面に設けたハーフシェル係合部と係合する構成としたディスクカートリッジにおいて、前記スライダ係合部と前記ハーフシェル係合部とが正面視多角形の凹状部からなり、この多角形に内接する円の直径が前記弾性部材の円形弾性線状部材の直径に対して同寸法ないし１１０％以内であることを特徴とするものである。
【００１４】
また、請求項２記載の本発明は、請求項１記載のディスクカートリッジにおいて、前記凹状部が正面視正三角形であることを特徴とするものである。
【００１５】
【発明の実施の形態】
上記の本発明について、図面等を用いて以下に説明する。
本発明のディスクカートリッジは、従来技術の項で説明したディスクカートリッジ１と基本的に同じ構成からなるものであって、用いる符号の意味も同じである。図１は本発明にかかるディスクカートリッジの要部拡大平面図であって、従来技術の項で示した図５に対応する図であり、上ハーフシェル１０の側壁１２’の前記ヘッドアクセス窓及び駆動軸挿入窓１３から最も離れた位置に従来技術の項で説明した正面視円形状の孔からなるハーフシェル係合部１４に代えて正面視三角形状の凹部からなるハーフシェル係合部１６が形成され、上ハーフシェル１０のレール状の凸状突起１５にスライダ２０がその溝部２１で係合し、前記スライダ２０の本体部２０ａの頂部で前記ヘッドアクセス窓及び駆動軸挿入窓１３を開閉する略Ｌ字形状の金属製開閉板３０が従来技術の項で説明したように前記ハーフシェル１０の前側端縁を跨いで固着されている。
【００１６】
また、前記スライダ２０の前記本体部２０ａの長手方向の開方向側の内面に正面視円形状の孔からなるスライダ係合部２５に代えて正面視三角形状の孔からなるスライダ係合部２７と該スライダ係合部２７を含む凹部２６（図１上は正面視三角形状の凹部）が設けられている。
【００１７】
そして、前記ハーフシェル係合部１６および前記スライダ係合部２７に断面が円形弾性線状部材からなる弾性部材、すなわち、捩りコイルばね４０の端部係合部４３がそれぞれ係合し、図３に示すと同じようにスライダ２０を閉方向側に付勢している。
【００１８】
前記ハーフシェル係合孔１６および前記スライダ係合孔２７は、それぞれの内接円の直径が前記捩りコイルばね４０の円形弾性線状部材の直径に対して同寸法ないし１１０％以内であるように構成され、前記ハーフシェル係合部１６および前記スライダ係合部２７に前記弾性部材を装着する際に、前記ハーフシェル係合部１６および前記スライダ係合部２７と前記弾性部材との当接箇所が同様な直径の正面視円形状のハーフシェル係合部およびスライダ係合部に比べて少ないために装着し易く、かつ、一度装着した弾性部材は前記ハーフシェル係合部１６および前記スライダ係合部２７のそれぞれの当接箇所で保持されるために前記ハーフシェル係合部１６および前記スライダ係合部２７から離脱する虞のないものとすることができる。
【００１９】
実施例においては、前記ハーフシェル係合部１６および前記スライダ係合部２７の正面視形状を三角形としたが、４角形であっても５角形であっても、さらにこれらより多角形であってもよいものであるが、多角形にすればする程、円形に近づくために、前記ハーフシェル係合部１６および前記スライダ係合部２７と前記弾性部材との当接箇所が多くなり、装着し難くなるために、好ましくは８角形、より好ましくは６角形までである。また、多角形の形状としては正多角形が好ましく、さらに好ましくは正三角形である。
【００２０】
また、今までの説明では、両面読み書き可能なタイプのディスクカートリッジとして説明してきたが、片面読み書き可能なタイプであってもよいものである。
【００２１】
【発明の効果】
以上説明してきたように、本発明は、少なくとも片面にヘッドアクセス窓及び駆動軸挿入窓が形成されると共にディスク状記録媒体を回転自在に収納する一対のハーフシェルからなるケース本体と、一方の前記ハーフシェルの前側端縁内面に前側端縁に平行に設けたレール状の凸状突起に係合して前記ケース本体の前側端縁に沿って摺動可能に設けたスライダと、該スライダに固着されて前記ヘッドアクセス窓及び駆動軸挿入窓を開閉する断面略Ｌ字状の開閉板と、前記スライダを一方向に付勢する弾性部材とを備えると共に前記弾性部材は断面円形状の弾性線状部材からなり、その一方の端部が前記スライダの長手方向の開方向側部に設けたスライダ係合部と係合し、他方の端部が前記一方のハーフシェルの内面に設けたハーフシェル係合部と係合する構成としたディスクカートリッジにおいて、前記スライダ係合部と前記ハーフシェル係合部とが正面視多角形の凹状部からなり、この多角形に内接する円の直径が前記弾性部材の円形弾性線状部材の直径に対して同寸法ないし１１０％以内である構成とすることにより、また、好ましくは正面視多角形を正面視正多角形とすることにより、また、さらに好ましくは正面視正多角形を正面視正三角形とすることにより、ディスクカートリッジの組立作業時に、作業性よく弾性部材の端部係合部をスライダ係合孔ないしハーフシェル係合孔に組付けることができると共に一度組付けられた弾性部材の端部係合部が前記スライダ係合孔ないしハーフシェル係合孔から離脱する虞がなく、再度係合し直す作業をなくすことができるという効果を奏する。
【図面の簡単な説明】
【図１】本発明にかかるディスクカートリッジの要部拡大平面図である。
【図２】従来のディスクカートリッジの一実施形態を示す斜視図である。
【図３】従来のシャッタの開閉構造を説明するハーフシェルの前端縁側の内面図である。
【図４】図３の分解斜視図である。
【図５】図３の弾性部材を組付ける前の要部拡大平面図である。
【符号の説明】
１                            ディスクカートリッジ
２                            ケース本体
１０                          ハーフシェル
１１                          周壁
１２、１２’                  側壁
１３                          ヘッドアクセス窓及び駆動軸挿入窓
１４、１６                    ハーフシェル係合部
１５                          凸状突起
２０                          スライダ
２０ａ                        スライダ本体部
２０ｂ                        スライダ延設部
２１                          溝部
２２                          位置決め突起
２３                          ねじ穴
２４                          受穴
２５、２７                    スライダ係合部
２６                          凹部
３０                          開閉板
３１                          位置決め穴
３２                          挿通穴
３３                          切欠開口
４０                          弾性部材（捩りコイルばね）
４１                          コイル部
４２                          腕部
４３                          端部係合部
【図１】
2004362639.tif 000003
【図２】
2004362639.tif 000004
【図３】
2004362639.tif 000005
【図４】
2004362639.tif 000006
【図５】
2004362639.tif 000007